(57)【要約】【課題】複数のキャビネットを所定の方向に並べた場合にも、全体としてのデザインの統一感を得ることができるキャビネットを提供する。【解決手段】本発明のキャビネットＡは、互いに対向配置される一対の板部材１２と一対の板部材１２に掛け渡されて支持される横抜材１５とを有するキャビネット本体１と、キャビネット本体１の前方側に設けられる前面板２３と、横抜材１５の前方側に設けられ前面板２３の縁部を把持するための空間を前面板２３の後方側に形成する桟材１６と、を有するキャビネットであって、横抜材１５は桟材１６を前方側から見たときの後方側における投影部内に位置し、一対の板部材１２における前方側端面に桟材１６が嵌合する凹部が各々設けられるという構成を採用する。【選択図】図１
2010119508.tif 000002
【特許請求の範囲】
【請求項１】
互いに対向配置される一対の板部材と、前記一対の板部材に掛け渡されて支持される横抜材と、を有するキャビネット本体と、
前記キャビネット本体の前方側に設けられる前面板と、
前記横抜材の前方側に設けられ、前記前面板の縁部を把持するための空間を前記前面板の後方側に形成する桟材と、を有するキャビネットであって、
前記横抜材は、前記桟材を前方側から見たときの後方側における投影部内に位置し、
前記一対の板部材における前方側端面に、前記桟材が嵌合する凹部が各々設けられることを特徴とするキャビネット。
【請求項２】
前記桟材は、前記桟材を前方側から見たときの後方側における投影部内に、前記桟材を前記横抜材に取り付けるための取付片を有することを特徴とする請求項１に記載のキャビネット。
【請求項３】
前記一対の板部材において前記凹部が設けられる位置に、前記取付片が嵌合する切り込み部が各々設けられることを特徴とする請求項２に記載のキャビネット。
【請求項４】
前記取付片を前記横抜材に取り付けるための取付部材を有し、該取付部材は、前記桟材を前方側から見たときの後方側における投影部内に設けられることを特徴とする請求項２または３に記載のキャビネット。
【請求項５】
前記板部材の一面に、前記板部材の面部と略同型の面部を有する意匠板が設けられることを特徴とする請求項１または４のいずれか一項に記載のキャビネット。
【請求項６】
前記板部材の一面に、前記板部材の面部よりも大きな面部を有する意匠板が設けられることを特徴とする請求項１または４のいずれか一項に記載のキャビネット。
【発明の詳細な説明】
【技術分野】
【０００１】
本発明は、把手なし手掛け式の引出し及び扉の少なくともいずれか一方を備えるキャビネットに関する。
【背景技術】
【０００２】
近年、引出しや扉を引き開けるための把手を持たないキャビネットが開発され、使用されている。このようなキャビネットは、引出しや扉の前面から突出する把手等を有していないため、安全面やデザイン面からも好ましい。一方、上記キャビネットにおいては、引出しや扉を引き開けるときに、引出しの前面板の縁部や扉の縁部に手先を掛け把持する必要がある。そのため、手先を入れるための空間を、上記縁部の後方側に形成している。
【０００３】
ここで、特許文献１及び２には、引出しの前面板における縁部後方側に、該縁部と平行する桟材を設けることにより、手先を入れるための空間を形成したキャビネットが開示されている。
特許文献１及び２に開示されたキャビネットの引出しを引き出す場合には、手先を上記桟材によって形成された空間に入れ、引出しの前面板の縁部を把持した後、引出しを前方側に引き出す。
【特許文献１】特開２００４−８１２６７号公報（第８頁、第６図）
【特許文献２】特開２００６−２９６５３６号公報（第５頁、第１図）
【発明の開示】
【発明が解決しようとする課題】
【０００４】
しかし、上記桟材は、引出しの前面板における縁部と平行に延びてはいるものの、キャビネットの両側板における内側面までしか延びてはいなかった。
そのため、複数のキャビネットを水平方向に並べた場合、水平方向に延びる桟材がキャビネットの側板で分断されているように見えるため、複数のキャビネット全体としてのデザインの統一感が失われてしまうという問題があった。
【０００５】
本発明は、このような事情に鑑みてなされたものであり、複数のキャビネットを所定の方向に並べた場合にも、全体としてのデザインの統一感を得ることができるキャビネットを提供することを目的とする。
【課題を解決するための手段】
【０００６】
上記課題を解決するために、本発明は以下の手段を採用する。
本発明のキャビネットは、互いに対向配置される一対の板部材と一対の板部材に掛け渡されて支持される横抜材とを有するキャビネット本体と、キャビネット本体の前方側に設けられる前面板と、横抜材の前方側に設けられ前面板の縁部を把持するための空間を前面板の後方側に形成する桟材と、を有するキャビネットであって、横抜材は桟材を前方側から見たときの後方側における投影部内に位置し、一対の板部材における前方側端面に桟材が嵌合する凹部が各々設けられるという構成を採用する。
このような構成を採用する本発明では、引出しや扉を引き開けたときにも、横抜材は前方側から見て隠れた位置に存在する。また、本発明では、上記一対の板部材の前方側端面に、桟材が各々重なって設けられている。また、本発明では、複数のキャビネットを所定の方向で並べた場合に、該所定の方向に延びる桟材がキャビネットの板部材で分断されず、桟材が複数のキャビネットに亘り延びているような外観を呈する。
【０００７】
また、本発明のキャビネットは、桟材は、桟材を前方側から見たときの後方側における投影部内に、桟材を横抜材に取り付けるための取付片を有するという構成を採用する。
このような構成を採用する本発明では、引出しや扉を引き開けたときにも、桟材を横抜材に取り付けるための取付片が、前方側から見て隠れた位置に存在する。
【０００８】
また、本発明のキャビネットは、一対の板部材において凹部が設けられる位置に、取付片が嵌合する切り込み部が各々設けられるという構成を採用する。
このような構成を採用する本発明では、取付片が桟材の端面まで延びている場合でも、取付片が切り込み部に嵌合するために、桟材は上記凹部に嵌合できる。
【０００９】
また、本発明のキャビネットは、取付片を横抜材に取り付けるための取付部材を有し、該取付部材は、桟材を前方側から見たときの後方側における投影部内に設けられるという構成を採用する。
このような構成を採用する本発明では、引出しや扉を引き開けたときにも、桟材を横抜材に取り付けるための取付部材が、前方側から見て隠れた位置に存在する。
【００１０】
また、本発明のキャビネットは、板部材の一面に、板部材の面部と略同型の面部を有する意匠板が設けられるという構成を採用する。
このような構成を採用する本発明では、複数のキャビネットを所定の方向で並べた場合に、最も端側に設けられるキャビネットにおける板部材の外側面が、意匠板によって覆われる。
【００１１】
また、本発明のキャビネットは、板部材の一面に、板部材の面部よりも大きな面部を有する意匠板が設けられるという構成を採用する。
このような構成を採用する本発明では、複数のキャビネットを所定の方向で並べた場合に、最も端側に設けられるキャビネットにおける板部材の外側面が意匠板によって覆われると共に、上記意匠板は部屋の間仕切り等に使用される。
【発明の効果】
【００１２】
本発明によれば、以下の効果を得ることができる。
本発明によれば、複数のキャビネットを所定の方向に並べた場合にも、全体としてのデザインの統一感を得ることができるという効果がある。
【発明を実施するための最良の形態】
【００１３】
以下、図面を参照して、本発明の実施形態について説明する。
〔第１実施形態〕
第１の実施形態に係るキャビネットＡの構成を、図１及び図２を参照して説明する。
図１は、第１の実施形態に係るキャビネットＡの全体構成を示す概略図であり、（ａ）はキャビネットＡの正面図、（ｂ）はキャビネットＡの側面図、図２は、側板１２と桟材１６との接続箇所周辺の拡大図であり、（ａ）は接続箇所の正面図、（ｂ）は接続箇所の側面図である。なお、図１及び図２の矢印Ｆは前方を示す。
【００１４】
キャビネットＡは、後述する引出し２を複数有する収納用キャビネットであり、例えば書類やファイル等を収納するために用いられる。また、キャビネットＡは、水平方向に複数並べられた状態で使用されている。
図１に示すように、キャビネットＡは、前方側に開口した略直方体状を呈するキャビネット本体１と、キャビネット本体１の内部に設けられ、前方側に引き出される複数の引出し２とを有している。
【００１５】
キャビネット本体１は、天板１１と、一対の側板（板部材）１２と、背板１３と、底板１４とを有している。
一対の側板１２は、互いに対向して配置されており、該対向方向と複数のキャビネットＡが並べられる方向とは同一の方向である。側板１２の前方側端面には、後述する桟材１６が嵌合する凹部１２ａ（図２参照）が形成され、凹部１２ａが設けられる位置には、後述する取付片１６ａが嵌合する切り込み部１２ｂ（図２参照）が形成されている。
また、側板１２は、厚さ方向で貫通する孔部（不図示）を有している。該孔部は、隣接する２つのキャビネットＡを一体的に連結するために用いられ、隣接する２枚の側板１２における上記孔部に連結部材（ボルト等）を共に貫通させて、上記２枚の側板１２を一体的に連結している。
なお、キャビネット本体１が有するその他の部材（横抜材１５等）については後述する。
【００１６】
引出し２は、キャビネット本体１内部に複数段設けられ、引出し本体２１と、引出し本体２１の両側面に各々設けられるスライドガイド２２と、引出し本体２１の前方側に設けられる前面板２３とを有している。
【００１７】
引出し本体２１は、上方に開口した略直方体状を呈しており、内部に収納スペースを有している。なお、引出し本体２１は、高さの異なるものが存在する。
引出し本体２１の両側面は、スライドガイド２２を介してキャビネット本体１における両側板１２の内側面に接続されており、引出し本体２１はスライドガイド２２により前後方向で移動自在である。
【００１８】
前面板２３は、矩形の板状部材であり、キャビネット本体１の背板１３に対向する向きで、引出し本体２１の前方側に設けられている。前面板２３の高さ及び幅は、引出し本体２１の高さ及び幅よりも大きく形成されている。
図２に示すように、前面板２３の上縁部（縁部）２３ａは水平方向と平行しており、上縁部２３ａの後方側には、手先を掛けやすくするための斜面２３ｂが形成されている。斜面２３ｂは、上方に向かうに従って漸次直交する方向の前方に向かって傾斜している。
【００１９】
キャビネット本体１の開口部、かつ、上縁部２３ａの後方側には、横抜材１５と、桟材１６とが各々設けられている。
横抜材１５は、上縁部２３ａに平行して延びる棒状部材であり、その幅方向断面は矩形を呈している。また、横抜材１５は、キャビネット本体１における両側板１２の内側面に掛け渡されて支持されている。
【００２０】
桟材１６は、横抜材１５の前方側に設けられており、横抜材１５と同じく上縁部２３ａに平行して延びるアルミ製の部材である。桟材１６の幅方向断面は、前方に臨んだ凹形状を呈しており、手先が入るための空間Ｓが桟材１６の前方側に形成されている。この空間Ｓは、引出し２がキャビネット本体１内に完全に納められている場合でも、手先を斜面２３ｂに掛けやすくするためのものである。
なお、横抜材１５は、桟材１６を前方側から見たときの後方側における投影部内に位置しており、引出し２を引き出したときにも、横抜材１５を前方側から見て隠れた位置に設けることができる。
また、桟材１６は、キャビネット本体１における両側板１２の外側面まで到達しており、その端部は、側板１２の凹部１２ａに嵌合している。
【００２１】
桟材１６の後方側には、桟材１６を横抜材１５に取り付けるための取付片１６ａが設けられている。取付片１６ａは、ネジ部材（取付部材）１７によって横抜材１５に接続されている。また、取付片１６ａ及びネジ部材１７は、桟材１６を前方側から見たときの後方側における投影部内に位置している。
このような取付方法を採用することにより、引出し２を引き出したときにも、取付片１６ａ及びネジ部材１７を前方側から見て隠れた位置に設けることができる。
なお、取付片１６ａは桟材１６の端面まで延びており、その端部は側板１２の切り込み部１２ｂに嵌合している。
【００２２】
なお、図１に示すように、水平方向に並べられた複数のキャビネットＡのうち、最も端側に設けられたキャビネットＡにおける側板１２の外側面には、該外側面と略同一の面部を有する意匠板１８が設けられている。この意匠板１８により、上記外側面に露出する可能性のあるキャビネット本体１を組み立てるための部材（ネジ等）や桟材１６の端部を覆うことができ、外観をすっきりとしたものとすることができる。
また、意匠板１８の前方側縁部には、側板１２の凹部１２ａに合わせた切り欠きが形成されていてもよい。
【００２３】
続いて、本実施形態に係るキャビネットＡの動作・作用について説明する。
まず、キャビネットＡの引出し２を引き出す動作を説明する。
引出し２は、キャビネット本体１内に完全に納められている。ここで、手先を桟材１６により形成される空間Ｓ内に入れ、前面板２３の上縁部２３ａを把持する。そして、上縁部２３ａを前方側に引き、引出し２を引き出す。
【００２４】
次に、本実施形態における桟材１６が、複数のキャビネットＡを水平方向で並べた場合に、全体としてのデザインの統一感をもたらす作用について説明する。
前述の通り、桟材１６は水平方向に延び、キャビネット本体１における側板１２の凹部１２ａに嵌合しているので、側板１２の前方側と桟材１６とは重なっている。
キャビネットＡは水平方向で複数並べられ、隣り合う桟材１６の端部は近接している。そのため、前方側から見た場合に、桟材１６が側板１２によって分断されずに複数のキャビネットＡに亘り一直線に延びているような外観を呈する。すなわち、複数のキャビネットＡを、全体として統一感のあるデザインとすることができる。
【００２５】
したがって、本実施形態によれば以下の効果を得ることができる。
本実施形態によれば、複数のキャビネットＡを水平方向で並べた場合にも、全体としてのデザインの統一感を得ることができるという効果がある。
【００２６】
〔第２実施形態〕
第２の実施形態に係るキャビネットＡ２の構成を、図３を参照して説明する。
図３は、第２の実施形態に係るキャビネットＡ２の全体構成を示す側面図である。なお、図３において、図１及び図２に示す第１の実施形態における構成要素と同一の要素については同一の符号を付し、その説明を省略する。
【００２７】
キャビネットＡ２は、引出し２と後述する扉（前面板）３とを各々１つずつ有する収納用キャビネットであり、例えばキッチン等の下部に設けられるものである。また、キャビネットＡ２は、水平方向に複数並べられた状態で使用されている。
図３に示すように、キャビネットＡ２は、前方に開口した略直方体状を呈するキャビネット本体１と、キャビネット本体１の内部に設けられ、前方側に引き出される引出し２と、キャビネット本体１の開口部に設けられる扉３とを有している。
【００２８】
扉３は、矩形の板状部材であり、キャビネット本体１の背板１３に対向する向きで、キャビネット本体１の開口部に設けられている。
また、扉３は、鉛直方向で並ぶ２つのヒンジ３１を介して、一方の側板１２の内側面に接続されており、ヒンジ３１の鉛直方向で延びる軸周りに回転して開閉する。キャビネット本体１内は収納スペースであり、扉３を引き開けることにより、収納物を出し入れすることができる。
【００２９】
扉３の扉上縁部（縁部）３ａは水平方向と平行しており、扉上縁部３ａの後方側には、手先を掛けやすくするための扉斜面３ｂが形成されている。扉斜面３ｂは、上方に向かうに従って漸次直交する方向の前方に向かって傾斜している。
扉上縁部３ａの後方側には、横抜材１５及び桟材１６が設けられている。
【００３０】
したがって、本実施形態によれば以下の効果を得ることができる。
本実施形態によれば、複数のキャビネットＡ２を水平方向で並べた場合にも、全体としてのデザインの統一感を得ることができるという効果がある。
【００３１】
〔第３実施形態〕
第３の実施形態に係るキャビネットＡ３の構成を、図４を参照して説明する。
図４は、第３の実施形態に係るキャビネットＡ３の全体構成を示す側面図である。なお、図４において、図１ないし図３に示す第１及び第２の実施形態における構成要素と同一の要素については同一の符号を付し、その説明を省略する。
【００３２】
キャビネットＡ３は、扉（前面板）３及び第２扉（前面板）４とを各々１つずつ有し、ダストボックス等に用いられるキャビネットであり、例えばキッチン等の下部に設けられるものである。また、キャビネットＡ３は、水平方向に複数並べられた状態で使用されている。
図４に示すように、キャビネットＡ３は、前方に開口した略直方体状を呈するキャビネット本体１と、キャビネット本体１の開口部下側に設けられる扉３と、同開口部上側に設けられる第２扉４とを有している。
【００３３】
第２扉４は、矩形の板状部材であり、キャビネット本体１の背板１３に対向する向きで、キャビネット本体１の開口部上側に設けられている。
また、第２扉４は、水平方向で並ぶ２つのヒンジ４１を介して、扉３の扉上縁部３ａの後方側に設けられた横抜材１５に取り付けられており、ヒンジ４１の水平方向で延びる軸周りに回転して開閉する。なお、第２扉４の後方側には、第２扉４の回転を所定の角度で止めるためのストッパー４２が設置されている。
キャビネットＡ３がダストボックスとして使用される場合は、ごみ等は第２扉４から投入され、扉３の後方側に設置されたボックス５内に貯留される。なお、ボックス５は、扉３から出し入れされる。
【００３４】
第２扉４の第２扉上縁部（縁部）４ａは水平方向に平行しており、第２扉上縁部４ａの後方側には、手先を掛けやすくするための第２扉斜面４ｂが形成されている。第２扉斜面４ｂは、上方に向かうに従って漸次直交する方向の前方に向かって傾斜している。
第２扉上縁部４ａの後方側には、横抜材１５及び桟材１６が設けられている。
【００３５】
したがって、本実施形態によれば以下の効果を得ることができる。
本実施形態によれば、複数のキャビネットＡ３を水平方向で並べた場合にも、全体としてのデザインの統一感を得ることができるという効果がある。
【００３６】
なお、前述した実施の形態において示した動作手順、あるいは各構成部材の諸形状や組み合わせ等は一例であって、本発明の主旨から逸脱しない範囲においてプロセス条件や設計要求等に基づき種々変更可能である。
【００３７】
例えば、上記実施形態では、桟材１６は引出し２の前面板２３、扉３及び第２扉４の上縁部２３ａ、３ａ及び４ａの後方側で手先を挿入するための空間Ｓを形成していたが、本発明はこのような構成に限定されるものではなく、引出し２、扉３及び第２扉４を引き開けるための把持用の縁部が下縁部又は側縁部である場合には、桟材１６はそれら下縁部又は側縁部の後方側に設けられていてもよい。
【００３８】
また、上記実施形態では、キャビネットＡ、Ａ２又はＡ３は、それぞれが複数並べられているが、本発明はこのような構成に限定されるものではなく、キャビネットＡ、Ａ２及びＡ３が混在して並べられていてもよい。
【００３９】
また、上記実施形態では、複数のキャビネットＡ、Ａ２及びＡ３は水平方向に並べられる構成となっていたが、本発明はこのような構成に限定されるものではなく、鉛直方向に連結されるキャビネットであってもよい。この場合でも、桟材１６が鉛直方向で延びるのであれば、複数のキャビネット全体としてのデザインの統一性を得ることができる。
【００４０】
また、上記実施形態では、桟材１６の断面は前方に臨んだ凹形状に形成されていたが、本発明はこのような構成に限定されるものではなく、桟材１６が帯板状に形成されていてもよい。この場合にも、側板１２の前方側には凹部１２ａが形成され、凹部１２ａの底面（垂直面）に上記帯板状を呈する桟材が設けられる。
【００４１】
また、上記実施形態では、桟材１６はアルミによって形成されていたが、その他の材質でもよく、例えば合成樹脂等であってもよい。
【００４２】
また、上記実施形態では、意匠板１８は、側板２の外側面と略同一の面部を有していたが、上記外側面よりも大きな面部を有していてもよい。この場合には、意匠板１８により、キャビネット本体１の外観をすっきりとしたものとすることができると共に、意匠板１８を部屋の間仕切り等に使用することもできる。
【図面の簡単な説明】
【００４３】
【図１】第１の実施形態に係るキャビネットＡの全体構成を示す概略図である。
【図２】第１の実施形態における側板１２と桟材１６との接続箇所周辺の拡大図である。
【図３】第２の実施形態に係るキャビネットＡ２の全体構成を示す側面図である。
【図４】第３の実施形態に係るキャビネットＡ３の全体構成を示す側面図である。
【符号の説明】
【００４４】
Ａ、Ａ２、Ａ３…キャビネット、１…キャビネット本体、１２…側板（板部材）、１２ａ…凹部、１２ｂ…切り込み部、１５…横抜材、１６…桟材、１６ａ…取付片、１７…ネジ部材（取付部材）、１８…意匠板、２３…前面板、２３ａ…上縁部（縁部）、３…扉（前面板）、３ａ…扉上縁部（縁部）、４…第２扉（前面板）、４ａ…第２扉上縁部（縁部）、Ｓ…空間
【図１】
2010119508.tif 000003
【図２】
2010119508.tif 000004
【図３】
2010119508.tif 000005
【図４】
2010119508.tif 000006